(57)【要約】【課題】乗場またはかご内の乗客が自動登録された新規の呼びを認識することができ、呼び釦の重複操作を回避して無駄な手間を省くことのできるエレベータの呼び登録装置を得る。【解決手段】かご呼び釦１ＢＣ〜８ＢＣの操作に応答してかご呼びを登録するかご呼び登録装置４と、かご２８の各サービス階床の乗場に設置された乗場呼び釦ＵＰＢ、ＤＮＢの操作に応答して乗場呼びを登録する乗場呼び登録装置２ａ〜２ｂと、かご２７の現在の運転状況に基づいて新規の呼びを自動登録する呼び自動登録手段と、新規の呼びの登録状態を表示する表示手段とを備えている。呼び自動登録手段は、乗場呼びおよびかご呼びの一方に応答して、乗場呼びおよびかご呼びの他方に対応した新規の呼びを自動登録する。【選択図】図５
2006111365.tif 000002
【特許請求の範囲】
【請求項１】
エレベータのかご内に設置されたかご呼び釦の操作に応答してかご呼びを登録するかご呼び登録装置と、
前記かごの各サービス階床の乗場に設置された乗場呼び釦の操作に応答して乗場呼びを登録する乗場呼び登録装置と
を備えたエレベータの呼び登録装置において、
前記かごの現在の運転状況に基づいて新規の呼びを自動登録する呼び自動登録手段と、
前記新規の呼びの登録状態を表示する表示手段と、をさらに備え、
前記呼び自動登録手段は、前記乗場呼びおよび前記かご呼びの一方に応答して、前記乗場呼びおよび前記かご呼びの他方に対応した前記新規の呼びを自動登録することを特徴とするエレベータの呼び自動登録装置。
【請求項２】
前記呼び自動登録手段は、前記かご呼びが登録された階床の乗場呼び登録装置に対する新規の乗場呼びを自動登録する乗場呼び自動登録手段を含み、
前記乗場呼び自動登録手段は、前記かご呼び登録装置により登録されたかご呼びと前記かごの現在位置および運転方向とに基づいて、第１の所定条件を満足する前記新規の乗場呼びを自動登録し、
前記表示手段は、前記かご呼びの発生時に前記かご呼びに対応した階床のかご釦灯を点灯させるとともに、前記新規の乗場呼びに対応した階床の乗場呼び登録装置の乗場釦灯を点灯させることを特徴とする請求項１に記載のエレベータの呼び自動登録装置。
【請求項３】
前記呼び自動登録手段は、前記乗場呼びが登録された階床への新規のかご呼びを自動登録するかご呼び自動登録手段を含み、
前記かご呼び自動登録手段は、前記乗場呼び登録装置により登録された乗場呼びと前記かごの現在位置および運転方向とに基づいて、第２の所定条件を満足する前記新規のかご呼びを自動登録し、
前記表示手段は、前記乗場呼びの発生時に、前記乗場呼びに対応した前記乗場呼び登録装置の応答灯を点灯させるとともに、前記新規のかご呼びに対応したかご釦灯を点灯させることを特徴とする請求項１または請求項２に記載のエレベータの呼び自動登録装置。
【発明の詳細な説明】
【技術分野】
【０００１】
この発明は、かご呼び登録装置および乗場呼び登録装置を備えたエレベータの呼び登録装置に関し、特に、かご呼びまたは乗場呼びの登録時に、所定条件を満足する他方の呼び（乗場呼びまたはかご呼び）を自動登録可能にした技術に関するものである。
【背景技術】
【０００２】
従来のエレベータの呼び登録装置としては、乗場で行先階呼びを設定可能に構成するとともに、乗場で登録したかご呼びをキャンセルするために、かご呼び登録装置上にキャンセル用釦を設け、キャンセル用釦の操作により、乗場で設定したかご呼びを解除可能に構成した装置が提案されている（たとえば、特許文献１または特許文献２参照）。
【０００３】
一方、乗場で登録された行先階呼びの数と乗り込み人数（または、かご内の乗客数）とを比較し、行先階呼びの数が人数よりも多い場合には、乗場から登録されたかご呼びをキャンセルする（または、登録を無効とする）かご呼び登録装置も提案されている（たとえば、特許文献３または特許文献４参照）。
【０００４】
上記従来技術によれば、乗場で登録された行先階呼びをキャンセルするために、特許文献１、２においては、かご呼び登録装置上に外部操作可能なキャンセル用釦が設けられており、特許文献３、４においては、行先階呼び数と乗客数とを比較している。
しかし、かご呼び登録装置で既に登録されたかご呼びから、エレベータのかごが停止する階床は分かっており、乗場の呼び釦を操作しなくても、サービスを希望する乗客が待機する乗場にかごが停止し、且つ、その後、乗場の乗客が希望する行先階にかごが停止することは十分有り得る。
【０００５】
【特許文献１】特開昭５９−１９０１７５号公報
【特許文献２】特開昭６０−１６１８７１号公報
【特許文献３】特開昭６０−４０３８３号公報
【特許文献４】特開昭６０−４０３８４号公報
【発明の開示】
【発明が解決しようとする課題】
【０００６】
従来のエレベータの呼び登録装置では、既に登録されたかご呼びから停止階が分かっているにもかかわらず、乗場に待機している乗客にとっては、かご呼びの発生状態を知ることができないので、乗場での呼び登録操作とかご内での呼び登録操作とが無駄に重複する可能性があるという問題があった。
【０００７】
この発明は、上記課題を解消するものであり、かご呼びまたは乗場呼びの登録時に、所定条件を満足する他方の呼び（乗場呼び、または、かご呼び）を自動登録可能とし、無駄な重複登録操作を回避したエレベータの呼び登録装置を得ることを目的とする。
【課題を解決するための手段】
【０００８】
この発明によるエレベータの呼び登録装置は、エレベータのかご内に設置されたかご呼び釦の操作に応答してかご呼びを登録するかご呼び登録装置と、かごの各サービス階床の乗場に設置された乗場呼び釦の操作に応答して乗場呼びを登録する乗場呼び登録装置とを備えたエレベータの呼び登録装置において、かごの現在の運転状況に基づいて新規の呼びを自動登録する呼び自動登録手段と、新規の呼びの登録状態を表示する表示手段とをさらに備え、呼び自動登録手段は、乗場呼びおよびかご呼びの一方に応答して、乗場呼びおよびかご呼びの他方に対応した新規の呼びを自動登録するものである。
【発明の効果】
【０００９】
この発明によれば、乗場に待機している乗客は、かご内で登録されたかご呼びに応答して自動登録された新規の乗場呼びによって、待機中の乗場にかごが停止するか否かを容易に認識することができるので、自動登録された乗場呼びの中に、乗場で待機する乗客の希望する行先方向（ＵＰ方向、ＤＮ方向）があれば、改めて乗場呼び釦を押す必要がなくなり、無駄な手間を省くことができる。
また、かご内にいる乗客は、乗場で登録されや乗場呼びに応答して自動登録された新規のかご呼びによって、どの階床にかごが停止するか否かを容易に認識することができるので、自動登録されたかご呼びの中に、かご内の乗客の希望する行先階床があれば、改めてかご呼び釦を押す必要がなくなり、無駄な手間を省くことができる。
【発明を実施するための最良の形態】
【００１０】
実施の形態１．
以下、図１〜図１４を参照しながら、この発明の実施の形態１について説明する。
図１はこの発明の実施の形態１に係るエレベータの呼び登録装置の乗場操作盤を概略的に示すブロック図であり、たとえば４階の乗場の外観と関連させて、乗場呼び登録装置の表示形態の一例を示している。
なお、ここでは、たとえば８階床のビルを対象としており、図１と同様の乗場操作盤を有する乗場呼び登録装置が各階に設置されているものとする。
【００１１】
図１において、乗場には、エレベータドア１と、乗場呼び登録装置（後述する）に含まれる乗場操作盤２Ｐとが設けられている。
乗場操作盤２Ｐには、乗場呼びを登録するための上昇（ＵＰ）方向の乗場呼び釦ＵＰＢおよび下降（ＤＮ）方向の乗場呼び釦ＤＮＢと、かご（後述する）の走行位置を示す位置表示器３とが設けられている。
【００１２】
乗場呼び釦ＵＰＢおよびＤＮＢには、操作時に点灯する乗場呼び釦登録灯（以下、「乗場釦灯」と略称する）が設けられており、位置表示器３には、かごの運転（走行）方向を指示する方向灯が設けられている。
ここでは、太枠線ブロックで示すように、ＵＰ方向の乗場呼び釦ＵＰＢが操作されて点灯している状態を示している。
また、位置表示器３は、矢印および「２」で示すように、現時点において、かごが２階を上昇中であることを示している。
【００１３】
図２はこの発明の実施の形態１に係るエレベータの呼び登録装置のかご操作盤を概略的に示すブロック図であり、たとえばかご内の外観と関連させて、かご呼び登録装置の表示形態の一例を示している。
図２において、かご２８には、エレベータドア２８ａと、かご呼び登録装置（後述する）に含まれるかご操作盤４Ｐとが設けられている。
【００１４】
かご操作盤４Ｐには、かご２８内から行先階を指示するためのかご行先釦１ＢＣ〜８ＢＣと、かご２８の運転方向を指示する方向灯５と、エレベータドア２８ａを開閉するための開釦６および閉釦７とが設けられている。
かご行先釦１ＢＣ〜８ＢＣ、開釦６および閉釦７には、それぞれ、操作時に点灯するかご呼び釦登録灯（以下、「かご釦灯」と略称する）が設けられている。
【００１５】
この場合、方向灯５は、矢印および「２」で示すように、かご２８が２階を上昇走行中であることを示している。
また、太枠線ブロックで示すように、５階および７階のかご呼び釦５ＢＣ、７ＢＣが操作されて点灯しており、５階および７階のかご行先階呼びが登録された状態を示している。
【００１６】
図３はこの発明の実施の形態１で使用される主なデータマップ構成を示す説明図である。
図３において、各乗場におけるＵＰ方向呼びのマップＨＡＬＬ−ＣＡＬＬＵには、８ビット（Ｄ０ビット〜Ｄ７ビット）の各々に対して、各乗場（１階〜８階）のＵＰ方向の乗場呼び釦ＵＰＢが割当てられる。
同様に、各乗場におけるＤＮ方向呼びのマップＨＡＬＬ−ＣＡＬＬＤには、Ｄ０ビット〜Ｄ７ビットの各々に対して、各乗場（１階〜８階）のＤＮ乗場呼び釦ＤＮＢが割当てられる。
【００１７】
また、かご呼びのマップＣＡＧＥ−ＣＡＬＬは、かご２８を実際にサービスさせるための呼びに対応しており、マップＣＡＧＥ−ＣＡＬＬのＤ０ビット〜Ｄ７ビットには、それぞれ図示したように、１階〜８階の行先釦１ＢＣ〜８ＢＣが割当てられる。
ＵＰ／ＤＮフラグは、かご２８の運転方向が上昇（ＵＰ）方向のときにセットされ、下降（ＤＮ）方向のときにリセットされる。
なお、ここでは、他の各種マップおよびフラグについては図示を省略する。
【００１８】
図４はかご２８の運転速度（実線参照）、現在位置（１点鎖線参照）および走行中の最寄り停止可能階ＶＰ（２点鎖線）の相互関係を示す説明図である。
図４において、横軸は時間、縦軸（左）は階床（フロア）位置１Ｆ〜８Ｆおよび速度を示している。
【００１９】
図５はこの発明の実施の形態１に係るエレベータの呼び登録装置（乗場呼び登録装置２、２Ｐおよびかご呼び登録装置４、４Ｐ）の構成例を示すブロック図である。
図５において、各階床Ｆ１〜Ｆ８ごとに設置された乗場呼び登録装置２ａ〜２ｈ、および、かご２８に設置されたかご呼び登録装置４は、いずれもマイクロコンピュータを中心に構成されている。
なお、前述（図１、図２参照）と同様のものについては、前述と同一符号を付すとともに、各階床１Ｆ〜８Ｆに対応させて、符号の後に「ａ」〜「ｈ」を付している。
【００２０】
機械室に設置されたマイクロコンピュータシステム８は、エレベータ制御装置９と、伝送インタフェース１０とから構成されており、エレベータ制御装置９は、伝送インタフェース１０および伝送線Ｌを介して、乗場呼び登録装置２ａ〜２ｈ、および、かご呼び登録装置４に接続されている。
【００２１】
乗場呼び登録装置２ａ〜２ｈ、２Ｐａ〜２Ｐｈにおいて、乗場操作盤２Ｐａ〜２Ｐｈの乗場呼び釦ＵＰＢａ〜ＵＰＢｈおよびＤＮＢａ〜ＤＮＢｈは、それぞれ、各乗場呼び登録装置２ａ〜２ｈに乗場釦信号を入力するための乗場釦１２ａ〜１２ｈと、各乗場呼び登録装置２ａ〜２ｈから出力される乗場呼び登録信号により点灯する乗場釦灯２０ａ〜２０ｈと、により構成されている。
【００２２】
また、かご呼び登録装置４、４Ｐにおいて、かご操作盤４Ｐの行先釦１ＢＣ〜８ＢＣは、かご呼び登録装置４にかご釦信号を入力するための釦２９ａ〜２９ｈと、かご呼び登録装置４から出力されるかご釦登録信号により点灯するかご釦灯３０ａ〜３０ｈと、により構成されている。
同様に、かご操作盤４Ｐの開釦６および閉釦７は、かご呼び登録装置４に開閉信号を入力するための釦２９Ｙ、２９Ｚと、かご呼び登録装置４から出力される開閉釦点灯信号により点灯する開閉釦灯３０Ｙ、３０Ｚと、により構成されている。
【００２３】
かご２８は、電動機３３によって回転駆動されるシーブ３６により昇降運転される。
電動機３３は、三相交流電源３５から給電される電力変換装置３４により、エレベータ制御装置９からのトルク指令信号Ｔｑに基づいて駆動制御される。
かご２８の移動量に対応した電動機３３の回転数は、パルス発生器３２および計数回路３１を介して、パルスカウント量ＣＮとして検出され、エレベータ制御装置９に入力される。
なお、シーブ３６に巻回されたロープ３８の他端には、かご２８を重量を相殺するための釣合い錘３７が設けられている。
【００２４】
図５の構成により、かご２８の移動量は、シーブ３６→電動機３３→パルス発生器３２→計数回路３１→エレベータ制御装置９の経路で、マイクロコンピュータシステム８に取り込まれる。
このとき、パルス発生器３２は、かご２８の移動量に正確に比例したパルス数を発生し、パルス計数回路３１は、パルス発生器３２から生成されるパルス数をカウントし、パルスカウント量ＣＮをエレベータ制御装置９に入力する。
【００２５】
これにより、エレベータ制御装置９は、かご２８の最寄り停止可能階ＶＰ、現在のかご停止階ＶＮおよび現在位置（図４参照）を検出することができる。
一方、エレベータ制御装置９は、トルク指令信号Ｔｑを出力することにより、トランジスタやＭＯＳ−ＦＥＴなどで構成された電力変換装置３４を制御し、電動機３３の回転数を制御する。
【００２６】
また、乗場呼び登録装置２ａ〜２ｈおよびかご呼び登録装置４は、伝送線Ｌを介した直列伝送によって、伝送インタフェース１０を介したエレベータ制御装置９との間で、双方向にデータを授受している。
なお、直列伝送の方式については、公知特許文献（たとえば、特開昭６１−１９４９４３号、特開平１−１６２６８８号など）に示されているので、ここでは詳述を省略する。
【００２７】
次に、図６〜図９を参照しながら、伝送インタフェース１０、エレベータ制御装置９、乗場呼び登録装置２ａ〜２ｈ、および、かご呼び登録装置４について具体的に説明する。
図６は伝送インタフェース１０の詳細構成を示すブロック図、図７はエレベータ制御装置９の詳細構成を示すブロック図、図８は乗場呼び登録装置２（２ａ〜２ｈ）の詳細構成を示すブロック図、図９はかご呼び登録装置４の詳細構成を示すブロック図である。
【００２８】
図６において、伝送インタフェース１０は、伝送処理用ＣＰＵ１０１と、ＲＯＭ１０２と、ＲＡＭ１０３と、エレベータ制御装置９に接続された２ポートＲＡＭ１０４と、入力ポート１０５と、出力ポート１０６と、乗場呼び登録装置２ａ〜２ｈに関連したシリアルインタフェース１０７と、かご呼び登録装置４に関連したシリアルインタフェース１０８と、伝送線Ｌを介して乗場呼び登録装置２ａ〜２ｈに接続されたドライバ１０９およびレシーバ１１０と、伝送線Ｌを介してかご呼び登録装置４に接続されたドライバ１１１およびレシーバ１１２と、により構成されている。
【００２９】
伝達インタフェース１０とエレベータ制御装置９との間のデータの授受は、２ポートＲＡＭ１０４を介して行われる。
シリアルインタフェース１０７は、ドライバ１０９およびレシーバ１１０を介して、乗場呼び登録装置２ａ〜２ｈとの間で直列伝送データの授受を行う。
同様に、シリアルインタフェース１０８は、ドライバ１１１およびレシーバ１１２を介して、かご呼び登録装置４との間で直列伝送データの授受を行う。
【００３０】
図７において、エレベータ制御装置９は、マイコン９０１と、ＲＯＭ９０２と、ＲＡＭ９０３と、入力ポート９０４と、出力ポート９０５と、により構成されている。
入力ポート９０４には、パルス計数回路３１でカウントされたパルスカウント量ＣＮが入力される。
また、出力ポート９０５からは、マイコン９０１で演算したトルク指令信号Ｔｑが生成され、電力変換装置３４に供給される。
さらに、前述の２ポートＲＡＭ１０４を介して、エレベータ制御装置９と伝送インタフェース１０との間のデータの授受が行われる。
【００３１】
図８において、乗場呼び登録装置２（２ａ〜２ｈ）は、伝送処理用ＣＰＵ２０１と、ＲＯＭ２０２と、ＲＡＭ２０３と、乗場操作盤２Ｐに接続された入力ポート２０４および出力ポート２０５と、伝達インタフェース１０に関連したシリアルインタフェース２０６と、伝送線Ｌを介して伝達インタフェース１０に接続されたドライバ２０７およびレシーバ２０８と、により構成されている。
【００３２】
乗場呼び登録装置２において、乗場操作盤２Ｐから生成される乗場釦信号は、入力ポート２０４を介して伝送処理用ＣＰＵ２０１に取り込まれ、シリアルインタフェース２０６、ドライバ２０７および伝送線Ｌを介して、伝送インタフェース１０に送出される。
一方、乗場釦信号に応答してエレベータ制御装置９から生成される乗場釦登録信号は、伝送インタフェース１０から、伝送線Ｌ、レシーバ２０８およびシリアルインタフェース２０６を介して伝送処理用ＣＰＵ２０１に入力され、さらに、伝送処理用ＣＰＵ２０１から、出力ポート２０５を介して乗場操作盤２Ｐに出力される。
【００３３】
図９において、かご呼び登録装置４は、伝送処理用ＣＰＵ２８０と、ＲＯＭ２８１と、ＲＡＭ２８２と、かご操作盤４Ｐに接続された入力ポート２８３および出力ポート２８４と、伝達インタフェース１０に関連したシリアルインタフェース２８５と、伝送線Ｌを介して伝達インタフェース１０に接続されたドライバ２８６およびレシーバ２８７と、により構成されている。
【００３４】
かご呼び登録装置４において、かご操作盤４Ｐから生成されるかご釦信号は、入力ポート２８３を介して伝送処理用ＣＰＵ２８０に取り込まれ、シリアルインタフェース２８５、ドライバ２８６および伝送線Ｌを介して、伝送インタフェース１０に送出される。
一方、かご釦信号に応答してエレベータ制御装置９から生成されるかご釦登録信号は、伝送インタフェース１０から、伝送線Ｌ、レシーバ２８７およびシリアルインタフェース２８５を介して伝送処理用ＣＰＵ２８０に入力され、さらに、伝送処理用ＣＰＵ２８０から、出力ポート２８４を介してかご操作盤４Ｐに出力される。
【００３５】
次に、図１〜図９とともに、図１０〜図１４を参照しながら、この発明の実施の形態１による具体的な処理動作について説明する。
図１０はこの発明の実施の形態１によるエレベータ運転制御プログラムの概略手順を示すフローチャートであり、図１１は図１０内のかご釦処理（ステップＳ２）を具体的に示すフローチャート、図１２は図１０内の乗場釦処理（ステップＳ３）を具体的に示すフローチャートである。
【００３６】
また、図１３は図１２内のかご釦灯の登録点灯制御Ａ（ステップＳ３１０）の詳細処理動作を示すフローチャート、図１４は図１２内のかご釦灯の登録点灯制御Ｂ（ステップＳ３１６）の詳細処理動作を示すフローチャートである。
【００３７】
最初に、図１０を参照しながら、概略手順について説明する。
図１０において、まず、電源投入後、イニシャル処理（ステップＳ１）を実行する。
イニシャル処理（ステップＳ１）においては、各種テーブルのクリア、初期値のセット、各種入出力デバイスのイニシャル化が行われる。
【００３８】
続いて、かご釦処理（ステップＳ２）、乗場釦処理（ステップＳ３）およびエレベータの運行制御（ステップＳ４）を順次実行する。
以下、電源がダウンするまで、ステップＳ２〜Ｓ４を繰り返し実行する。
なお、図１０の運転制御プログラムは、エレベータ制御装置９内のＲＯＭ９０２（図７参照）に格納されている。
【００３９】
図１０内のかご釦処理（ステップＳ２）においては、かご呼び登録装置４に基づくかご呼び登録を行うとともに、登録されたかご呼びとかご２８の現在位置および運転方向とから、第１の所定条件を満足する新規の乗場呼びの自動登録制御が行われる。
【００４０】
すなわち、かご呼び登録装置４（図９参照）内において、かご操作盤４Ｐの行先釦１ＢＣ〜８ＢＣから入力されたかご呼び信号は、入力ポート２８３→シリアルインタフェース２８５→ドライバ２８６→伝送線Ｌを介して、マイクロコンピュータシステム８内の伝送インタフェース１０に伝送される。
【００４１】
また、伝送インタフェース１０に伝送されたかご呼び信号は、伝送インタフェース１０（図６参照）内において、レシーバ１１２→シリアルインタフェース１０８→２ポートＲＡＭ１０４を介してエレベータ制御装置９に伝送される。
これにより、エレベータ制御装置９において、かご呼び登録装置４に基づくかご呼びが登録される。
【００４２】
また、登録されたかご呼びに応答して、エレベータ制御装置９から生成されるかご釦灯登録信号は、伝送インタフェース１０（図６参照）内の２ポートＲＡＭ１０４→シリアルインタフェース１０８→ドライバ１１１→伝送線Ｌを介して、かご呼び登録装置４に伝送される。
これにより、かご操作盤４Ｐの行先釦１ＢＣ〜８ＢＣ（図９参照）のうち、かご２８内の乗客により操作された釦に対応するかご釦灯３０ａ〜３０ｈ（図５参照）が点灯されるので、操作した乗客は、所望のかご呼びが登録されたことを確認することができる。
【００４３】
さらに、エレベータ制御装置９内の乗場呼び自動登録手段は、登録されたかご呼びに対応した階床の乗場呼び登録装置に対し、かご２８の現在の運転状況に基づく第１の所定条件（後述する）を満たす新規の乗場呼びを自動登録し、新規の乗場呼びに対応した乗場釦灯登録信号を生成する。
このとき、自動生成された乗場釦灯登録信号は、エレベータ制御装置９から、伝送インタフェース１０（図６参照）内の２ポートＲＡＭ１０４→シリアルインタフェース１０７→ドライバ１０９→伝送線Ｌを介して、各階の乗場呼び登録装置２ａ〜２ｈに伝送される。
【００４４】
一方、図１０内の乗場釦処理（ステップＳ３）においては、乗場呼び登録装置２（図８参照）の乗場呼び釦ＵＰＢ、ＤＮＢから入力された釦信号をエレベータ制御装置９に伝送し、乗場呼びを登録して該当する乗場釦灯２０ａ〜２０ｈ（図５参照）を点灯させる。
また、同時に、登録された乗場呼びとかご２８の現在位置および運転方向とから、第２の所定条件（後述する）を満足する新規のかご呼びを自動登録し、新規のかご呼びに対応したかご釦灯登録信号を生成して、かご操作盤４Ｐ上のかご釦灯３０ａ〜３０ｈを点灯させる。
【００４５】
このとき、待機中の乗客による乗場呼び釦操作に応答した乗場からの乗場呼び信号は、各階の乗場呼び登録装置２（図８参照）の入力ポート２０４→シリアルインタフェース２０６→ドライバ２０７→伝送線Ｌを介して、マイクロコンピュータシステム８内の伝送インタフェース１０に伝送される。
【００４６】
また、伝送インタフェース１０に伝送された乗場呼び信号は、伝送インタフェース１０（図６参照）内において、レシーバ１１０→シリアルインタフェース１０７→２ポートＲＡＭ１０４を介してエレベータ制御装置９に伝送される。
これにより、エレベータ制御装置９において、乗場呼び登録装置２に基づく乗場呼びが登録される。
【００４７】
また、登録された乗場呼びに応答して、エレベータ制御装置９から生成される乗場釦灯登録信号は、伝送インタフェース１０（図６参照）内の２ポートＲＡＭ１０４→シリアルインタフェース１０７→ドライバ１０９→伝送線Ｌを介して、各階の乗場呼び登録装置２に伝送される。
これにより、各乗場で待機中の乗客により操作された釦に対応する乗場釦灯２０ａ〜２０ｈが点灯されるので、操作した乗客は、所望の乗場呼びが登録されたことを確認することができる。
【００４８】
さらに、エレベータ制御装置９内のかご呼び自動登録手段は、登録された乗場呼びの階床に対応して、かご２８の現在の運転状況に基づく第２の所定条件（後述する）を満たす新規のかご呼びを自動登録し、新規のかご呼びに対応したかご釦灯登録信号を生成する。
このとき、自動生成されたかご釦灯登録信号は、エレベータ制御装置９から、伝送インタフェース１０（図６参照）内の２ポートＲＡＭ１０４→シリアルインタフェース１０７→ドライバ１０９→伝送線Ｌを介して、かご呼び登録装置４に伝送される。
【００４９】
最後に、図１０内のエレベータの運転制御（ステップＳ４）においては、計数回路３１のパルスカウント量ＣＮ、かご呼び、乗場呼び、新規のかご呼び、新規の乗場呼び、その他のエレベータ運転制御に必要な各種情報を取り込み、現在のかご２８の停止階ＶＮ、走行中のかご２８の最寄り停止階ＶＰ（図４参照）などを演算し、かご２８を運転する。
【００５０】
次に、図１１を参照しながら、図１０内のかご釦処理（ステップＳ２）の詳細手順について説明する。
なお、ここでは、かご２８の現在停止階をＶＮ、走行中のかご２８の最寄り停止可能階をＶＰ、Ｎ階へのかご呼び発生をＳＮ、Ｎ階以外へのかご呼び発生をＳＸ、判定対象となる階床をＮ（＝１、２、・・・、８）とする。
【００５１】
また、図１１において、ステップＳ２０１〜Ｓ２０４は、かご呼び登録装置４の処理に対応し、ステップＳ２０５〜Ｓ２２４は、乗場呼び自動登録手段の処理に対応し、ステップＳ２０８〜Ｓ２１１、Ｓ２１５〜Ｓ２１７、Ｓ２１９、Ｓ２２０、Ｓ２２２、Ｓ２２３は、第１の所定条件に対応する。
【００５２】
さらに、ステップＳ２１５は、ステップＳ２０９と同様の処理であり、ステップＳ２１７、Ｓ２１８は、それぞれ、ステップＳ２１１、Ｓ２１２と同様の処理であり、ステップＳ２２０、Ｓ２２１は、それぞれ、ステップＳ２２３、Ｓ２２４と同様の処理である。
【００５３】
まず、かご呼び登録装置４からかご釦信号を読込み（ステップＳ２０１）、入力されたかご釦信号にかご呼びの発生が有るか否かを判定する（ステップＳ２０２）。
ステップＳ２０２において、かご呼びが無し（すなわち、ＮＯ）と判定されれば、図１１の処理ルーチンを直ちに終了する。
一方、ステップＳ２０２において、かご呼びが有り（すなわち、ＹＥＳ）と判定されれば、発生したかご呼びを正式にかご呼びとしてマップＣＡＧＥ−ＣＡＬＬ（図３参照）に登録し（ステップＳ２０３）、かご釦灯３０ａ〜３０ｈを点灯制御する（ステップＳ２０４）。
【００５４】
続いて、階床カウンタＮに「１」を初期設定し（ステップＳ２０５）、発生したかご呼びの中に、Ｎ階へのかご呼びの発生が有るか否かを判定する（ステップＳ２０６）。
ステップＳ２０６において、Ｎ階へのかご呼びが無し（すなわち、ＮＯ）と判定されれば、階床カウンタＮのインクリメント処理（ステップＳ２１３）に進む。
一方、ステップＳ２０６において、Ｎ階へのかご呼びが有り（すなわち、ＹＥＳ）と判定されれば、続いて、Ｎ階以外へのかご呼びの発生が有るか否かを判定する（ステップＳ２０７）。
ステップＳ２０７において、Ｎ階以外へのかご呼びが無し（すなわち、ＮＯ）と判定されれば、階床カウンタＮのインクリメント処理（ステップＳ２１３）に進む。
一方、ステップＳ２０７において、Ｎ階以外へのかご呼びが有り（すなわち、ＹＥＳ）と判定されれば、続いて、そのかご呼びが設定されたかご２８が停止中であるか否かを判定する（ステップＳ２０８）。
ステップＳ２０８において、かご２８が走行中であって停止中ではない（すなわち、ＮＯ）と判定されれば、後述する判定処理（ステップＳ２１５）に進む。
【００５５】
一方、ステップＳ２０８において、かご２８が停止中である（すなわち、ＹＥＳ）と判定されれば、続いて、ＵＰ／ＤＮフラグ（図３参照）を読込み、かご２８がＵＰ方向に走行予定であるか否かを判定する（ステップＳ２０９）。
ステップＳ２０９において、ＵＰ／ＤＮフラグがＤＮ方向「ＦＦ」を示していて、かご２８がＵＰ方向に走行予定でない（すなわち、ＮＯ）と判定されれば、後述する判定処理（ステップＳ２２２）に進む。
【００５６】
一方、ステップＳ２０９において、ＵＰ／ＤＮフラグがＵＰ方向「００」を示していて、かご２８がＵＰ方向に走行予定である（すなわち、ＹＥＳ）と判定されれば、現在のかご２８の停止階ＶＮをインクリメントした値「ＶＮ＋１」と判定対象となる階床Ｎとを比較し、ＶＮ＋１≦Ｎであるか否かを判定する（ステップＳ２１０）。
【００５７】
ステップＳ２１０において、ＶＮ＋１＞Ｎ（すなわち、ＮＯ）と判定されれば、階床カウンタＮのインクリメント処理（ステップＳ２１３）に進む。
一方、ステップＳ２１０において、ＶＮ＋１≦Ｎ（すなわち、ＹＥＳ）と判定されれば、続いて、Ｎ階へのかご呼びＳＮとＮ階以外へのかご呼びＳＸとを比較し、ＳＸ＞ＳＮであるか否かを判定する（ステップＳ２１１）。
【００５８】
ステップＳ２１１において、ＳＸ≦ＳＮ（すなわち、ＮＯ）と判定されれば、階床カウンタＮのインクリメント処理（ステップＳ２１３）に進み、ＳＸ＞ＳＮ（すなわち、ＹＥＳ）と判定されれば、Ｎ階に設置の乗場呼び釦のＵＰ側の乗場釦灯２０ａ〜２０ｈを点灯させ（ステップＳ２１２）、ステップＳ２１３に進む。
【００５９】
なお、ステップＳ２０９において、かご２８がＤＮ方向（すなわち、ＮＯ）と判定された場合には、現在のかご２８の停止階ＶＮをデクリメントした値「ＶＮ−１」と判定対象となる階床Ｎとを比較し、ＶＮ−１≧Ｎであるか否かを判定する（ステップＳ２２２）。
【００６０】
ステップＳ２２２において、ＶＮ−１＜Ｎ（すなわち、ＮＯ）と判定されれば、ステップＳ２１３に進み、ＶＮ−１≧Ｎ（すなわち、ＹＥＳ）と判定されれば、続いて、Ｎ階へのかご呼びＳＮとＮ階以外へのかご呼びＳＸとを比較し、ＳＸ＜ＳＮであるか否かを判定する（ステップＳ２２３）。
【００６１】
ステップＳ２２３において、ＳＸ≧ＳＮ（すなわち、ＮＯ）と判定されれば、ステップＳ２１３に進み、ＳＸ＜ＳＮ（すなわち、ＹＥＳ）と判定されれば、Ｎ階に設置の乗場呼び釦のＤＮ側の乗場釦灯２０ａ〜２０ｈを点灯させ（ステップＳ２２４）、ステップＳ２１３に進む。
【００６２】
また、ステップＳ２０８において、かご２８が走行中（すなわち、ＮＯ）と判定された場合には、ＵＰ／ＤＮフラグ（図３参照）を読込み、かご２８の走行方向がＵＰ方向か否かを判定する（ステップＳ２１５）。
【００６３】
ステップＳ２１５において、かご２８の走行方向がＤＮ方向である（すなわち、ＮＯ）と判定されれば、後述する判定処理（ステップＳ２１９）に進む。
一方、ステップＳ２１５において、かご２８の走行方向がＵＰ方向である（すなわち、ＹＥＳ）と判定されれば、続いて、走行中のかご２８の最寄り停止可能階ＶＰ（図４参照）と判定対象となる階床Ｎとを比較し、ＶＰ≦Ｎであるか否かを判定する（ステップＳ２１６）。
【００６４】
ステップＳ２１６において、ＶＰ＞Ｎ（すなわち、ＮＯ）と判定されれば、ステップＳ２１３に進み、ＶＰ≦Ｎ（すなわち、ＹＥＳ）と判定されれば、Ｎ階へのかご呼びＳＮとＮ階以外へのかご呼びＳＸとを比較し、ＳＸ＞ＳＮであるか否かを判定する（ステップＳ２１７）。
【００６５】
ステップＳ２１７において、ＳＸ≦ＳＮ（すなわち、ＮＯ）と判定されれば、ステップＳ２１３に進み、ＳＸ＞ＳＮ（すなわち、ＹＥＳ）と判定されれば、Ｎ階に設置の乗場呼び釦のＵＰ側の乗場釦灯２０ａ〜２０ｈを点灯させ（ステップＳ２１８）、ステップＳ２１３に進む。
【００６６】
なお、ステップＳ２１５において、かご２８の走行方向がＤＮ方向（すなわち、ＮＯ）と判定された場合には、現在のかご２８の停止可能階ＶＰと判定対象となる階床Ｎとを比較し、ＶＰ≧Ｎであるか否かを判定する（ステップＳ２１９）。
【００６７】
ステップＳ２１９において、ＶＰ＜Ｎ（すなわち、ＮＯ）と判定されれば、ステップＳ２１３に進み、ＶＰ≧Ｎ（すなわち、ＹＥＳ）と判定されれば、続いて、Ｎ階へのかご呼びＳＮとＮ階以外へのかご呼びＳＸとを比較し、ＳＸ＜ＳＮであるか否かを判定する（ステップＳ２２０）。
ステップＳ２２０において、ＳＸ≧ＳＮ（すなわち、ＮＯ）と判定されれば、ステップＳ２１３に進み、ＳＸ＜ＳＮ（すなわち、ＹＥＳ）と判定されれば、Ｎ階に設置の乗場呼び釦のＤＮ側の乗場釦灯２０ａ〜２０ｈを点灯させ（ステップＳ２２１）、ステップＳ２１３に進む。
【００６８】
ステップＳ２１３においては、階床カウンタＮの値をインクリメント（「１」だけカウントアップ）する。
最後に、階床カウンタＮの値が全階床数「８」を越えた（全階床終了）か否かを判定し（ステップＳ２１４）、Ｎ≦８（すなわち、ＮＯ）と判定されれば、ステップＳ２０６に戻って、全階床終了するまで上記処理を繰り返し実行し、Ｎ＞８（すなわち、ＹＥＳ）と判定されれば、図１１の処理ルーチンを終了する。
【００６９】
次に、図１２を参照しながら、図１０内の乗場釦処理（ステップＳ３）の詳細手順について説明する。
なお、図１２において、ステップＳ３０１〜Ｓ３０５、Ｓ３１３、Ｓ３１４は、乗場呼び登録装置２の処理に対応し、ステップＳ３０６〜Ｓ３２４は、かご呼び自動登録手段の処理に対応し、ステップＳ３０８〜Ｓ３１０、Ｓ３１５〜Ｓ３１８、Ｓ３２０、Ｓ３２１、Ｓ３２２、Ｓ３２４は、第２の所定条件に対応する。
【００７０】
まず、乗場釦信号を読込み（ステップＳ３０１）、読込んだ乗場釦信号に乗場呼びの発生が有るか否かを判定する（ステップＳ３０２）。
ステップＳ３０２において、乗場呼びが無し（すなわち、ＮＯ）と判定されれば、図１２の処理ルーチンを直ちに終了し、乗場呼びが有り（すなわち、ＹＥＳ）と判定されれば、続いて、発生した乗場呼びがＵＰ方向の呼びであるか否かを判定する（ステップＳ３０３）。
【００７１】
ステップＳ３０３において、ＵＰ方向の呼びである（すなわち、ＹＥＳ）と判定されれば、マップＨＡＬＬ−ＣＡＬＬＵ（図３参照）にＵＰ乗場呼びとして正式登録し（ステップＳ３０４）、ＵＰ側の乗場釦灯２０ａ〜２０ｈの点灯制御を行う（ステップＳ３０５）。
【００７２】
一方、ステップＳ３０３において、ＤＮ方向の呼びである（すなわち、ＮＯ）と判定されれば、マップＨＡＬＬ−ＣＡＬＬＤ（図３参照）にＤＮ乗場呼びとして正式登録し（ステップＳ３１３）、ＤＮ側の乗場釦灯２０ａ〜２０ｈの点灯制御を行う（ステップＳ３１４）。
【００７３】
次に、階床カウンタＮに「１」を初期設定し（ステップＳ３０６）、Ｎ階の乗場において乗場呼びの発生が有るか否かを判定する（ステップＳ３０７）。
ステップＳ３０７において、Ｎ階の乗場呼びが無し（すなわち、ＮＯ）と判定されれば、階床カウンタＮのインクリメント処理（ステップＳ３１１）に進む。
一方、ステップＳ３０７において、Ｎ階の乗場呼びが有り（すなわち、ＹＥＳ）と判定されれば、続いて、かご２８が停止中であるか否かを判定する（ステップＳ３０８）。
【００７４】
ステップＳ３０８において、かご２８が走行中である（すなわち、ＮＯ）と判定されれば、後述する判定処理（ステップＳ３１５）に進む。
一方、ステップＳ３０７において、かご２８が停止中である（すなわち、ＹＥＳ）と判定されれば、続いて、発生した乗場呼びが単一階床の呼びであるか否か（複数階床の呼びか）を判定する（ステップＳ３０９）。
【００７５】
ステップＳ３０９において、単一階床の呼びである（すなわち、ＹＥＳ）と判定されれば、後述する判定処理（ステップＳ３２１）に進み、複数階床の呼びである（すなわち、ＮＯ）と判定されれば、かご釦灯の登録点灯制御Ａを実行して（ステップＳ３１０）、ステップＳ３１１に進む。
【００７６】
ステップＳ３１１においては、階床カウンタＮの値を「１」だけインクリメントする。
続いて、階床カウンタＮの値が「８」を越えた（全階床終了した）か否かを判定し（ステップＳ３１２）、Ｎ≦８（すなわち、ＮＯ）と判定されれば、ステップＳ３０７に戻って、全階床終了するまで上記処理を繰り返し実行し、Ｎ＞８（すなわち、ＹＥＳ）と判定されれば、図１２の処理ルーチンを終了する。
【００７７】
なお、ステップＳ３０９において、単一階床の呼びである（すなわち、ＹＥＳ）と判定されれば、乗場呼びの発生がＵＰ方向であるか否かを判定する（ステップＳ３２１）。
ステップＳ３２１において、ＵＰ方向である（すなわち、ＹＥＳ）と判定されれば、続いて、かご２８の現在停止階ＶＮと対象となる階床Ｎとを比較し、ＶＮ＜Ｎであるか否かを判定する（ステップＳ３２２）。
【００７８】
ステップＳ３２２において、ＶＮ≧Ｎ（すなわち、ＮＯ）と判定されれば、図１２の処理ルーチンを終了し、ＶＮ＜Ｎ（すなわち、ＹＥＳ）と判定されれば、Ｎ階へのかご呼びを自動登録してかご釦灯登録信号を生成し、かご操作盤４ＰのＮ階のかご釦灯３０ａ〜３０ｈを点灯させて（ステップＳ３２３）、図１２の処理ルーチンを終了する。
【００７９】
一方、ステップＳ３２１において、ＤＮ方向である（すなわち、ＮＯ）と判定されれば、続いて、かご２８の現在停止階ＶＮと対象となる階床Ｎとを比較し、ＶＮ＞Ｎであるか否かを判定する（ステップＳ３２４）。
【００８０】
ステップＳ３２４において、ＶＮ≦Ｎ（すなわち、ＮＯ）と判定されれば、図１２の処理ルーチンを終了し、ＶＮ＞Ｎ（すなわち、ＹＥＳ）と判定されれば、Ｎ階へのかご呼びを自動登録して、かご操作盤４ＰのＮ階のかご釦灯３０ａ〜３０ｈを点灯させて（ステップＳ３２３）、図１２の処理ルーチンを終了する。
【００８１】
また、ステップＳ３０８において、かご２８が走行中（すなわち、ＮＯ）と判定された場合には、ステップＳ３１５〜Ｓ３２０の処理に進む。
ただし、ステップＳ３１５〜Ｓ３２０は、ステップＳ３１８、Ｓ３２０の比較パラメータを、かご２８の現在停止階ＶＮから、走行中のかご２８の最寄り停止可能階ＶＰに置き換えた点と、かご釦灯の登録点灯制御Ｂ（ステップＳ３１６）の相違点とを除けば、ステップＳ３０９、Ｓ３１０、Ｓ３２１〜Ｓ３２４と同一処理なので、詳細説明を省略する。
【００８２】
次に、図１３を参照しながら、図１２内のかご釦灯の登録点灯制御Ａ（ステップＳ３１０）の詳細手順について説明する。
図１３において、まず、ＵＰ／ＤＮフラグ（図３参照）を読込み、かご２８の走行予定方向がＵＰ方向であるか否かを判定する（ステップＳ３１０１）。
【００８３】
ステップＳ３１０１において、ＤＮ方向である（すなわち、ＮＯ）と判定されれば、後述する判定ステップＳ３１０５に進み、ＵＰ方向である（すなわち、ＹＥＳ）と判定されれば、続いて、かご２８の現在停止階ＶＮと対象となる階床Ｎとを比較し、ＶＮ＜Ｎであるか否かを判定する（ステップＳ３１０２）。
【００８４】
ステップＳ３１０２において、ＶＮ≧Ｎ（すなわち、ＮＯ）と判定されれば、かご釦灯の登録点灯制御Ａ（図１３の処理ルーチン）を直ちに終了し、ＶＮ＜Ｎ（すなわち、ＹＥＳ）と判定されれば、続いて、Ｎ階の乗場呼びがＵＰ方向の呼び（または、ＵＰ／ＤＮ方向の呼び）であるか否かを判定する（ステップＳ３１０３）。
【００８５】
ステップＳ３１０３において、Ｎ階の乗場呼びがＵＰ方向の呼びを含む（すなわち、ＹＥＳ）と判定されれば、Ｎ階のかご釦灯３０ａ〜３０ｈを点灯させて（ステップＳ３１０４）、かご釦灯の登録点灯制御Ａを終了する。
【００８６】
一方、ステップＳ３１０３において、Ｎ階の乗場呼びがＵＰ方向の呼びを含まない（すなわち、ＮＯ）と判定されれば、続いて、Ｎ階の乗場呼びが最上方（この場合、８階）の呼びであるか否かを判定する（ステップＳ３１０８）。
【００８７】
ステップＳ３１０８において、Ｎ階の乗場呼びが最上方の呼びではない（すなわち、ＮＯ）と判定されれば、かご釦灯の登録点灯制御Ａを直ちに終了する。
一方、ステップＳ３１０８において、Ｎ階の乗場呼びが最上方の呼びである（すなわち、ＹＥＳ）と判定されれば、ステップＳ３１０４に進んでＮ階のかご釦灯３０ａ〜３０ｈを点灯し、かご釦灯の登録点灯制御Ａを終了する。
【００８８】
なお、ステップＳ３１０１において、ＤＮ方向（すなわち、ＮＯ）と判定された場合には、続いて、かご２８の現在停止階ＶＮと対象となる階床Ｎとを比較し、ＶＮ＞Ｎであるか否かを判定する（ステップＳ３１０５）。
【００８９】
ステップＳ３１０５において、ＶＮ≦Ｎ（すなわち、ＮＯ）と判定されれば、かご釦灯の登録点灯制御Ａを直ちに終了し、ＶＮ＞Ｎ（すなわち、ＹＥＳ）と判定されれば、続いて、Ｎ階の乗場呼びがＤＮ方向の呼び（または、ＤＮ／ＵＰ方向の呼び）であるか否かを判定する（ステップＳ３１０６）。
【００９０】
ステップＳ３１０６において、Ｎ階の乗場呼びがＤＮ方向を含む（すなわち、ＹＥＳ）と判定されれば、ステップＳ３１０４に進んでＮ階のかご釦灯３０ａ〜３０ｈを点灯する。
一方、Ｎ階の乗場呼びがＤＮ方向を含まない（すなわち、ＮＯ）と判定されれば、Ｎ階の乗場呼びが最下方（この場合、１階）の呼びであるか否かを判定する（ステップＳ３１０７）。
【００９１】
ステップＳ３１０７において、Ｎ階の乗場呼びが最下方の呼びではない（すなわち、ＮＯ）と判定されれば、かご釦灯の登録点灯制御Ａを直ちに終了する。
一方、ステップＳ３１０７において、Ｎ階の乗場呼びが最下方の呼びである（すなわち、ＹＥＳ）と判定されれば、ステップＳ３１０４に進んでＮ階のかご釦灯３０ａ〜３０ｈを点灯し、かご釦灯の登録点灯制御Ａを終了する。
【００９２】
なお、図１４内のステップＳ３１６１〜Ｓ３１６８で示したかご釦灯の登録点灯制御Ｂ（ステップＳ３１６）の詳細手順については、ステップＳ３１６２、Ｓ３１６５内の比較パラメータを、かご２８の現在停止階ＶＮから、走行中のエレベータの最寄り停止階ＶＰに置き換えた点を除けば、図１３内のステップＳ３１０１〜Ｓ３１０８と同一処理なので、詳細説明を省略する。
【００９３】
以上のように、かご呼び登録装置４にかご呼びが発生すると、このかご呼びの応答灯を点灯させるとともに、正規のかご呼びとして登録し、登録したかご呼びとかご２８の現在位置および運転方向とから、第１の所定条件を満足する乗場呼びを自動登録することができる。
また、乗場呼び登録装置２に乗場呼びが発生すると、この乗場呼びの応答灯を点灯させるとともに、正規の乗場呼びとして登録し、登録した乗場呼びとかご２８の現在位置および運転方向とから、第２の所定条件を満足するかご２８に対してかご呼びを自動登録することができる。
【００９４】
すなわち、かご呼び登録装置４によるかご呼び登録とかご２８の現在位置および運転方向とから、第１の所定条件を満足する乗場呼びを自動登録し、また、乗場呼び登録装置２による乗場呼び登録とかご２８の現在位置および運転方向とから、第２の所定条件を満足するかご呼びを自動登録することができる。
【００９５】
これにより、乗場で待機中の乗客は、自動登録された乗場呼びに応答した点灯表示によって、かご２８が自分の乗場に停止することを認識することができ、また、かご２８内にいる乗客は、自動登録されたかご呼びに応答した点灯表示によって、かご２８が今後どの階床に停止するのかを容易に認識することができる。
したがって、自動登録された呼びの中に、乗場の乗客が所望する方向（ＵＰ方向、ＤＮ方向）の乗場呼び、または、かご２８内の乗客の所望する行先階へのかご呼びが含まれていれば、乗客が改めて釦を押す必要がなくなり、無駄な手間が省ける効果がある。
【００９６】
なお、自動登録された呼びに乗客の所望する方向や階床が含まれない場合や、自動登録される呼びが全く存在しない場合には、乗場で待機中の乗客またはかご２８内の乗客は、目的方向または目的階の釦を押すことによって呼び登録可能なことは言うまでもない。
また、上記実施の形態１では、呼び自動登録手段が、乗場呼び自動登録手段およびかご呼び自動登録手段の両方を含む場合について説明したが、少なくとも一方を含んでいればよく、少なくとも一方の自動登録による効果を奏することができる。
【図面の簡単な説明】
【００９７】
【図１】この発明の実施の形態１に係るエレベータの呼び登録装置の乗場操作盤を概略的に示すブロック図である。
【図２】この発明の実施の形態１に係るエレベータの呼び登録装置のかご操作盤を概略的に示すブロック図である。
【図３】この発明の実施の形態１で使用される主なデータマップ構成を示す説明図である。
【図４】この発明の実施の形態１で使用されるかごの運転速度、現在位置および走行中の最寄り停止可能階の相互関係を示す説明図である。
【図５】この発明の実施の形態１に係るエレベータの呼び登録装置の全体構成例を示すブロック図である。
【図６】この発明の実施の形態１に係るエレベータの呼び登録装置の伝送インタフェースの詳細構成を示すブロック図である。
【図７】この発明の実施の形態１に係るエレベータの呼び登録装置のエレベータ制御装置の詳細構成を示すブロック図である。
【図８】この発明の実施の形態１に係るエレベータの呼び登録装置の乗場呼び登録装置の詳細構成を示すブロック図である。
【図９】この発明の実施の形態１に係るエレベータの呼び登録装置のかご呼び登録装置の詳細構成を示すブロック図である。
【図１０】この発明の実施の形態１に係るエレベータ運転制御プログラムの概略手順を示すフローチャートである。
【図１１】図１０内のかご釦処理を具体的に示すフローチャートである。
【図１２】図１０内の乗場釦処理を具体的に示すフローチャートである。
【図１３】図１２内のかご釦灯の登録点灯制御Ａの詳細処理動作を示すフローチャートである。
【図１４】図１２内のかご釦灯の登録点灯制御Ｂの詳細処理動作を示すフローチャートである。
【符号の説明】
【００９８】
１ＢＣ〜８ＢＣ  かご呼び釦、２、２ａ〜２ｈ  乗場呼び登録装置、２Ｐ、２Ｐａ〜２Ｐｈ  乗場操作盤、４  かご呼び登録装置、４Ｐ  かご操作盤、８  マイクロコンピュータシステム、９  エレベータ制御装置、２０ａ〜２０ｈ  乗場釦灯、２８  かご、３０ａ〜３０ｈ  かご釦灯、Ｌ  伝送線、ＵＰＢ、ＤＮＢ、ＵＰＢａ〜ＵＰＢｈ、ＤＮＢａ〜ＤＮＢｈ  乗場呼び釦。
【図１】
2006111365.tif 000003
【図２】
2006111365.tif 000004
【図３】
2006111365.tif 000005
【図４】
2006111365.tif 000006
【図５】
2006111365.tif 000007
【図６】
2006111365.tif 000008
【図７】
2006111365.tif 000009
【図８】
2006111365.tif 000010
【図９】
2006111365.tif 000011
【図１０】
2006111365.tif 000012
【図１１】
2006111365.tif 000013
【図１２】
2006111365.tif 000014
【図１３】
2006111365.tif 000015
【図１４】
2006111365.tif 000016